(57)【要約】【目的】ネールアートをしていても、指サックをして、何ら支障なく髪を洗浄することができる指サックを提供する。【構成】外周は頭髪上をスムーズに滑る耐水性材料から指に冠着させる先端が閉鎖した筒状体を形成し、内周の全部若しくは一部は、ゴム若しくは合成樹脂の弾性を有する部材で形成し、前記弾性を有する部材の少なくとも一部は、指に密着するように形成し、洗浄時頭髪を引っ張るのを防止すると共に、指から抜けるのを防止した。【選択図】図１
2010187958.tif 000002
【特許請求の範囲】
【請求項１】
外周は頭髪上をスムーズに滑る耐水性材料から指に冠着させる先端が閉鎖した筒状体を形成し、内周の全部若しくは一部は、ゴム若しくは合成樹脂の弾性を有する部材で形成してなり、前記弾性を有する部材の内周面は、指サックが抜け難く形成し、前記弾性を有する部材の少なくとも一部は、指に密着していることを特徴とする髪の洗髪時に使用する指サック。
【請求項２】
頭髪上をスムーズに滑る耐水性材料から形成した指に冠着させる先端が閉鎖した筒状体と、該筒状体の開口部付近に形成したゴム若しくは合成樹脂の弾性を有する筒状体とを具備してなる請求項１記載の指サック。
【請求項３】
ゴム若しくは合成樹脂の弾性を有する部材から形成した指に冠着させる先端が閉鎖した筒状体と、該筒状体の外周に形成された頭髪上をスムーズに滑る耐水性材料の積層若しくはコーティング層とを具備してなる請求項１記載の指サック。
【請求項４】
前記耐水性材料は、熱可塑性樹脂である請求項１〜３のいずれかに記載の指サック。
【請求項５】
前記弾性を有する部材から形成した先端が閉鎖した筒状体の内周面には、指の爪部に当たる部分を除いて、多数の小突起が形成されている請求項３又は４記載の指サック。
【請求項６】
前記指サックの厚みは、０．１ｍｍ〜１．５ｍｍである請求項１〜５のいずれかに記載の指サック。
【発明の詳細な説明】
【技術分野】
【０００１】
この発明は、髪の洗髪時に使用する指サックに係り、詳記すれば、髪を洗うときに髪が一緒に移動して引きつつたりせず、しかも指から抜け難く形成した髪の洗髪時に使用する指サックに関する。
【背景技術】
【０００２】
従来から、事務用指サックは、汎用されているが、このものは、紙をめくる時の摩擦力を増大させるため、ゴム製のものを使用していた。
【０００３】
一方、美容室等で髪を洗浄するときには、ヘアカラーなどの場合は、染料が美容師の爪や指先にしみこみ、色がついて落ちにくい問題があった。
【０００４】
そのため従来は、薄い合成樹脂製の手袋を使用していたが、ゴム手袋をするとお湯の温度が感知し難くなるので、熱いお湯をかける危険性があるほか、内部の手が蒸れて汗をかき、作業がしずらい問題があった。ゴム手袋の代わりに従来の指サックを使用すると、これはゴム製であったので、洗浄時髪の毛が指サックと一緒に移動し、髪の毛が引っ張られるので、強く擦ると客に痛みを与える問題があった。
【０００５】
また近年女性は、高価なネールアートなるものを使用することが大変多くなり、爪にマニキュア、飾りなどのほか、つけずめ、爪に絵を描いたりすることが多く行われている。このような指先で、髪を洗浄する場合、ゴム手袋をして行っていたが、爪が割れたりする恐れがあるほか、内部が汗ばむので、高価なネールアートを十分保護し得ない問題があった。
【発明の開示】
【発明が解決しようとする課題】
【０００６】
この発明は、このような点に着目してなされたものであり、ネールアートをしていても、指サックをして、何ら支障なく髪を洗浄することができる指サックを提供することを目的とする。しかして従来、髪を洗浄する際に、ネールアートをしていても支障なく使用し得る指サックは全く市販されていないし、このような発想も全く知られていない。
【課題を解決するための手段】
【０００７】
上記目的に沿う本発明の構成は、外周は頭髪上をスムーズに滑る耐水性材料から指に冠着させる先端が閉鎖した筒状体を形成し、内周の全部若しくは一部は、ゴム若しくは合成樹脂の弾性を有する部材で形成してなり、前記弾性を有する部材の内周面は、指サックが抜け難く形成し、前記弾性を有する部材の少なくとも一部は、指に密着していることを特徴とする。
【０００８】
頭髪上をスムーズに滑る耐水性材料から形成した指に冠着させる先端が閉鎖した筒状体と、該筒状体の開口部付近に形成したゴム若しくは合成樹脂の弾性を有する筒状体とを具備してなるように形成することができる（請求項２）。
【０００９】
ゴム若しくは合成樹脂の弾性を有する部材から形成した指に冠着させる先端が閉鎖した筒状体と、該筒状体の外周に形成された頭髪上をスムーズに滑る耐水性材料の積層若しくはコーティング層とを具備してなるようにするのが好ましい（請求項３）。
前記耐水性材料は、熱可塑性樹脂であるのが好ましい(請求項４)。
前記弾性を有する部材から形成した筒状体の内周面には、指の爪部に当たる部分を除いて、多数の小突起を形成するのが、滑り止め及びネールアートの保護の点から好ましい(請求項４)。
前記指サックの厚みは、０．１ｍｍ〜１．５ｍｍであるのが、ネールアートをしていても脱着、装着が容易であることから好ましい(請求項４)。
【発明の効果】
【００１０】
本発明によれば、表面が滑り易く形成されているので、髪を引きつらせること無く効果的に洗浄できるほか、指サック内面は、弾性を有する部材で滑り難く形成されているので、洗浄時指から抜けるのを効果的に防止することができ、ネールアートを保護しながら容易に髪の毛を洗浄することができる。また、弾性を有する部材の少なくとも一部は指に密着しているので、髪洗浄時洗浄液の浸入を防止でき、ネールアートを効果的に保護することができる。
【発明を実施するための最良の形態】
【００１１】
次に、本発明の実施の形態を図面に基づいて説明する。
【００１２】
図１は、本発明の実施例を示すものであり、天然若しくは合成ゴム部材から形成した指に冠着させる先端が閉鎖した筒状体１と、該筒状体１の外周に形成された頭髪上をスムーズに滑る熱可塑性樹脂材料の積層若しくはコーティング層２とを具備し、開口部付近は、指に密着するように形成されている。前記筒状体１の内周面は、材質がゴム材であるから指サックが指から抜け難くなっている。
【００１３】
表面に形成する熱可塑性樹脂材料層２は、筒状若しくは先端が閉鎖した筒状の形状に形成して、筒状体１と嵌合貼着させればよい。また、液状の熱可塑性樹脂をコーティングして、熱可塑性樹脂材料層を形成しても良い。熱可塑性樹脂としては、ポリエチレン、ポリプロピレン、ポリ塩化ビニル等が挙げられるが、特に限定されない。要するに、ゴムのように髪の毛をこすると毛を引っ張るような材質で無ければよい。頭髪上をスムーズに滑る材質であって、耐水性のものであれば、熱可塑性樹脂でなくとも良い。
【００１４】
図２は、本発明の他の実施例を示すものであり、先端が閉鎖した筒状体１の内周面に爪部及びその近傍を除いて、多数の滑り止めのための突起３を形成し、その他は図１の実施例と同様に構成した例を示す。ゴム部材自身は、滑り止めの作用を有するので、特にこのように突起３を形成する必要は無いが、このようにすると、ネールアートの爪に指サックが密着するのを防止できることから、ネールアートの爪の保護に適している。
【００１５】
図３は、本発明の他の実施例を示すものであり、頭髪上をスムーズに滑る熱可塑性樹脂材料から形成した指に冠着させる先端が閉鎖した筒状体１´と、該筒状体１´の開口部を、ゴム若しくは合成樹脂の弾性を有する筒状体４に外嵌固定した例を示す。筒状体４の開口部にはフランジ５が形成されている。
【００１６】
本発明の指サックの厚みは、好ましくは０．１ｍｍ〜１．５ｍｍ、特に好ましくは０．２ｍｍ〜１．０ｍｍである。薄すぎるとネールアートをしていた場合に、脱着、装着がし難くなるし、厚すぎても特に利点が無い。
【００１７】
図４は、本発明の指サック６を手の指に嵌める状態を示すものである。このように、５個一組として、大、中、小の３種類位作れば、あらゆる人の指に対応できる。
【図面の簡単な説明】
【００１８】
【図１】本発明の実施例を示す断面図である。
【図２】本発明の他の実施例を示す断面図である。
【図３】本発明の他の実施例を示す断面図である。
【図４】本発明の指サックを指に嵌める状態を示す斜視図である。
【符号の説明】
【００１９】
１，１´・・・先端が閉鎖した筒状部材
２・・・筒状部材の外周に形成する熱可塑性樹脂材料層(耐水性材料層)
３・・・滑り止めの突起
４・・・筒状部材
６・・・本発明の指サック
【図１】
2010187958.tif 000003
【図２】
2010187958.tif 000004
【図３】
2010187958.tif 000005
【図４】
2010187958.tif 000006